(57)【特許請求の範囲】
【請求項１】
固定体から引き出された移動体を所定位置から自動的に固定体に引き込む自動引き込み装置において、自動引き込み装置は、固定体に取付けられる引き込みガイド部材と、移動体に取り付けられる係合部材より構成され、引き込みガイド部材は、移動体の移動方向に形成された引き込み案内溝と、引き込み案内溝の前端部に連設された係止溝を有するケース体と、引き込み案内溝に沿って移動体の移動方向に配設され、ケース体に前後端部が保持された案内ロッドと、案内ロッドに外嵌し、移動体の移動方向に移動可能で、引き込み案内溝に臨む係止突起を有する係止体と、案内ロッドに外挿して係止体の引き出し側に位置するバネ体から成り、移動体が引き込まれた状態から移動する時に、係合部材は係止突起に係止して引き込み案内溝に沿ってバネ体を圧縮しながら係止体を前方に移動させ、引き込み案内溝の前端から係止溝に係止突起を移動させると共に、移動体の引き込み時にバネ体の反撥力で係止突起が係止して、係合部材と共に移動体を引き込む係止体係合面と、係止体係合面の前側と所定間隔を有し、移動体の収納時、係止突起を係止溝から引き込み案内溝に移動させる脱出案内面を有し、係止体は案内ロッドに対して、直交する方向に回動自在に設けられていることを特徴とする自動引き込み装置。
【請求項２】
引き込み案内溝の後端部には、復帰用弾性脚と、復帰用弾性脚が弾性変形可能な変形用切り欠き部が連設され、引き込み案内溝の後端部に位置した係止突起に当接して、復帰用弾性脚の弾性に抗して係止体を回動させて、係止突起を係止体係合面に当接させる案内逃がし面が、係合部材の係止体係合面の後方に連設されていることを特徴とする請求項１に記載の自動引き込み装置。
【請求項３】
引き込みガイド部材は、スライドレールの固定側メンバーの上折り曲げ縁の上面に着脱自在に連結され、係合部材は、引き込みガイド部材に対応する位置で、連結金具を介して移動側メンバーに着脱自在に設けられていることを特徴とする請求項１、又は、請求項２に記載の自動引き込み装置
【発明の詳細な説明】
【技術分野】
【０００１】
本発明は、特に引き出し等のスライドレールに用いられる自動引き込み装置に関するものである。
【背景技術】
【０００２】
従来、上記自動引き込み装置として数々のものが提供されている。
代表的なものとして先行技術文献に示すように、スリーメンバー型のスライドレールの自動引き込み装置では、キャビネット等に連結される固定側メンバー（外側メンバー）の最後部内面に取付けられるハウジングと、引き出し等と連結される移動側メンバー(内側メンバー)の最後部に形成される第一部分と第二部分からなるウェブスロットより構成されている。
そして、ハウジングは、対向する側壁、前壁、後壁、上壁を有する前後に細長い形状で、主縦方向部分と横方向部分からなるスロットが上壁に形成されている。
さらに、ガイドピン、ばね、アクチュエーターガイド部材が内部に収納され、ばね、アクチュエーターガイド部材は、ガイドピンと共に後壁に対して回動する。
移動側メンバーが固定側メンバーに収納された状態で、アクチュエーターガイド部材は、ウェブスロットの第二部分の第二エッジに係合している。
【０００３】
そして、移動側メンバーが引き出されると、ウェブスロットの第二部分の第二エッジがアクチュエーターガイド部材をスロットの主縦方向部分に沿ってばねを圧縮しながら前方に移動させる。
移動側メンバーが所定位置まで引き出されて、アクチュエーターガイド部材がスロットの主縦方向部分前端部に達すると、ウェブスロットの第二部分の第二エッジに沿って、アクチュエーターガイド部材は、ガイドピンの後端が取付けられた後壁部分を回動中心としてガイドピンと共に回動し、ハウジングのスロットの横方向部分に移動する。
そして、移動側メンバーがさらに引き出されると、アクチュエーターガイド部材は、ウェブスロットから抜け出て、圧縮されたばねのエネルギーを蓄積した状態で、スロットの横方向部分に留まる。
【０００４】
次に、引き出された移動側メンバーが固定側メンバーに収納されていくと、アクチュエーターガイド部材がウェブスロットの第一部分に入り、さらに移動側メンバーが収納されると、アクチュエーターガイド部材はウェブスロットの第二部分の第一エッジによって
スロットの横方向部分から主縦方向部分に移動する。
すると、ばねの圧縮されたエネルギーは解放され、アクチュエーターガイド部材は、ウェブスロットの第二部分の第二エッジに係合して、移動側メンバーを共に後方に移動させて、自動的に引き込む。
【０００５】
すなわち、ハウジングが固定側メンバー（外側メンバー）の最後部内面に取付けられていることにより、中間メンバーの長さは、固定側メンバーよりハウジングの長さを引いた
長さ以下に制限されることから、引き出される物品（スライドレール）のストロークが小さくなる欠点があった。
【０００６】
さらに、アクチュエーターガイド部材はハウジングの後壁を回動中心としてガイドピンと共に回動して、ハウジングのスロットの主縦方向部分から横方向部分に移動して、ばねの圧縮エネルギーを蓄積した状態で留まるので、ばねの圧縮エネルギーの蓄積を確実に維持するには、アクチュエーターガイド部材の横方向への移動距離を大きくとり、アクチュエーターガイド部材とスロットの横方向部分の係止面積を大きくする必要があった。
しかしながら、アクチュエーターガイド部材の横方向への移動は、ハウジングの後壁を回動中心としてガイドピンの回動によって行われるので、ハウジングの後壁とアクチュエーターガイド部材間の寸法が長くなければ、アクチュエーターガイド部材の移動寸法を大きくとることができず、ハウジングの長さと、上下寸法は必然的に大きくなる。すなわち、確実な性能を求めるとハウジングは必然的に大型化し、大型化することにより、中間メンバーの長さは短くなり、引き出し等のストロークは小さくなるという問題があった。
【０００７】
一方、ハウジングの後壁とアクチュエーターガイド部材間の寸法が短ければ、アクチュエーターガイド部材の移動寸法が小さくなるので、アクチュエーターガイド部材とスロットの横方向部分の係止面積が小さくなり、ばねの圧縮エネルギーの蓄積を確実に維持できないので、ハウジングの長さ寸法を小さくするには限度があった。
したがって、移動側メンバーの自動引き込み位置を、使用箇所に応じて移動側メンバーの最終収納位置に近接させるよう使用箇所に応じて適宜選択することもできなかった。
【０００８】
さらに、アクチュエーターガイド部材の横方向への移動は、ハウジングの後壁を回動中心としてガイドピンの回動によって行われるので、上記した理由によって、ハウジングは大きくなり、外部に露出して取り付けることは見栄えの上で好ましくなく、固定側メンバー（外側メンバー）の最後部内面に取付けざるを得なかった。  
そして、ハウジングのアクチュエーターガイド部材に対応するウェッブスロットを別部材に形成して、移動側メンバーに取付けるようにすると、スライドレールの厚み内では処理しきれず、移動側メンバーと連結される引き出し側に突出し、キャビネット内に収まる引き出しの外寸を小さくしなければならなかった。
したがって、引き出し外寸を所定の大きさで維持するために、アクチュエーターガイド部材を移動させるウェブスロットは、移動側メンバーの後端部に直接形成せざるを得ず、したがって、一般的スライドレールと、自動引き込み機能を有するスライドレールは移動側メンバーの形状が相違することとなり、一般的なスライドレールに、自動引き込み機能を必要に応じて付加することはできなかった。
【先行技術文献】
【特許文献】
【０００９】
【特許文献１】特表２００３−５３１６６０号公報
【発明の概要】
【発明が解決しようとする課題】
【００１０】
本発明は、簡単な構造でコンパクトに構成でき、引き出し等のストロークに影響を与えることなく、既に製作された一般的なスライドレールに自動引き込み機能を必要に応じて、容易に付加することができるだけでなく、固定体と移動体に取付けることによりスライドレールに関係なく自動引き込み機能を得ることができる自動引き込み装置を提供することを課題とする。
【課題を解決するための手段】
【００１１】
そこで、上記課題を解決する為、本発明が第１の手段として構成したところは、固定体から引き出された移動体を所定位置から自動的に固定体に引き込む自動引き込み装置において、自動引き込み装置は、固定体に取付けられる引き込みガイド部材と、移動体に取り付けられる係合部材より構成され、引き込みガイド部材は、移動体の移動方向に形成された引き込み案内溝と、引き込み案内溝の前端部に連設された係止溝を有するケース体と、引き込み案内溝に沿って移動体の移動方向にケース体に配設され、ケース体に前後端部が保持された案内ロッドと、案内ロッドに外嵌し、移動体の移動方向に移動可能で、引き込み案内溝に臨む係止突起を有する係止体と、案内ロッドに外挿して係止体の引き出し側に位置するバネ体から成り、移動体が引き込まれた状態から移動する時に、係合部材は係止突起に係止して引き込み案内溝に沿ってバネ体を圧縮しながら係止体を前方に移動させ、引き込み案内溝の前端から係止溝に係止突起を移動させると共に、移動体の引き込み時にバネ体の反撥力で係止突起が係止して、係合部材と共に移動体を引き込む係止体係合面と、係止体係合面の前側と所定間隔を有し、移動体の収納時、係止突起を係止溝から引き込み案内溝に移動させる脱出案内面を有し、係止体は案内ロッドに対して、直交する方向に回動自在に設けられているものである。
【００１２】
次に、上記課題を解決する為、本発明が第２の手段として構成したところは、前記第１の手段として構成したところに加え、引き込み案内溝の後端部には、復帰用弾性脚と、復帰用弾性脚が弾性変形可能な変形用切り欠き部が連設され、引き込み案内溝の後端部に位置した係止突起に当接して、復帰用弾性脚の弾性に抗して係止体を回動させて、係止突起を係止体係合面に当接させる案内逃がし面が、係合部材の係止体係合面の後方に連設されていることを特徴とする請求項１に記載の自動引き込み装置。
【００１３】
次に、上記課題を解決する為、本発明が第３の手段として構成したところは、前記第１の手段として構成したところ、又は、前記第２の手段として構成したところに加え、引き込みガイド部材は、スライドレールの固定側メンバーの上折り曲げ縁の上面に着脱自在に連結され、係合部材は、引き込みガイド部材に対応する位置で、連結金具を介して移動側メンバーに着脱自在に設けられているものである。
【発明の効果】
【００１４】
本発明の第１の手段として構成したところによると、引き込みガイド部材の案内ロッドはケース体に前後端部が保持され、係止体は案内ロッドに対して直交する方向に回動自在に案内ロッドに設けられているので、案内ロッドの長さ（ケース体の大きさ）に関係なく、係止突起は常に一定の移動範囲を確実に確保され、係止突起は係止溝に係止した状態を安定よく維持されるから、ケース体は大きさを極力小さくしてコンパクトに構成することができるだけでなく、移動体の移動方向に短くしても係止突起と係止溝の係止状態は変化しないから、移動体の自動引き込み位置を使用箇所に応じて、適宜選択することができる。
ケース体をコンパクトに形成できるので、引き出し等のストロークに与える影響は極めて少ないだけでなく、レール等の外部に取付けても目立たないので、レールとは関係なしに、固定体と移動体に直接取付けることも可能で、引き込み機能を後から付加することもできる。
【００１５】
次に、本発明の第２の手段として構成したところによると、前記効果に加え、引き込み案内溝の後端部には、復帰用弾性脚と変形用切り欠き部が形成され、係合部材の係止体係合面の後方に案内逃がし面が連設されているので、移動側メンバーが引き出された状態で（係合部材が引き込みガイド部材の前方に位置した状態で、）  係止溝と係止突起の係止状態が不測にはずれ、係止体が引き込み案内溝の後端に位置していたとしても、係合部材が移動体と共に後方に移動すると、案内逃がし面が係止突起に当接し、復帰用弾性脚の弾性に抗して、復帰用弾性脚を変形用切り欠き部内に弾性変形させながら、係止体は案内ロッドを中心として回動して、やがて、案内突起は案内逃がし面の頂部を乗り越え、復帰用弾性脚の弾性によって、元の位置に回動して係止体係合面の前側に位置した状態となる。
したがって、万一、係合部材が前方に位置した状態で、係止溝と係止突起の係止状態が不測にはずれ係止体が後方に移動していたとしても、移動体（移動側レール、係合体）を後方に移動させる、自然な動作で通常の引き込み機能を回復することが可能である。
【００１６】
次に、本発明の第３の手段として構成したところによると、前記第１の手段として構成したところによる効果、又は、前記第２の手段として構成したところによる効果に加え、
引き込みガイド部材は、スライドレールの固定側メンバーの上折り曲げ縁の上面に着脱自在に連結され、係合部材は、引き込みガイド部材に対応する位置で、連結金具を介して移動側メンバーに着脱自在に設けられているものであるから、一般的なスライドレールに取付けることにより簡単に引き込み機能を有するスライドレールを得ることができる。
引き込みガイド部材は、固定側メンバーの上折り曲げ縁の上面に取付けられるので、キャビネット等の本体と引き出し等の移動体間に位置し、引き出し等の外形寸法に影響を与えることがない。
【図面の簡単な説明】
【００１７】
【図１】図１は本発明を備えたスライドレールの縮小状態の斜視図である。
【図２】図２は本発明を備えたスライドレールの伸長状態の斜視図である。
【図３】図３は本発明を備えたスライドレールの背面図である。
【図４】図４はスライドレールの基本断面図である。
【図５】図５は前方側からみた引き込みガイド部材の斜視図である。
【図６】図６は後方側からみた引き込みガイド部材の要部分解斜視図である。
【図７】図７は前方側からみた係合部材と連結金具の斜視図である。
【図８】図８は移動側メンバーが引き込まれた状態を示す説明図である。
【図９】図９は係止突起が引き込み案内溝の前端部分まで移動した状態を示す説明図である。
【図１０】図１０は係止体が回動して、係止突起が係止溝内に移動した状態を示す説明図である。
【図１１】図１１は移動側メンバーが引き出された状態での、係止体と係合部材の位置関係を示す説明である。
【図１２】図１２は移動側メンバーが収納され、係合部材の脱出案内面が係止突起に当接した状態を示す説明図である。
【図１３】図１３は移動側メンバーがさらに収納され、係止体が回動して、係止突起が引き込み案内溝の前端に位置した状態を示す説明図である。
【図１４】図１４は移動側メンバーが引き出された状態で、係止突起が引き込み案内溝の後端に位置している状態を示す説明図である。
【図１５】図１５は係止突起が引き込み案内溝の後端に位置している状態で、移動側メンバーが収納され、案内逃がし面が係止突起に当接した状態を示す説明図である。
【図１６】図１６は移動側メンバーがさらに収納され、係止体が回動し、係止突起が案内逃がし面を乗り越える状態を示す説明図である。
【発明を実施するための形態】
【００１８】
本発明は、スライドレールの固定側メンバーの上折り曲げ縁の上面に着脱自在に連結され引き込みガイド部材と、引き込みガイド部材に対応する位置で、連結金具を介して移動側メンバーに着脱自在に連結される係合部材より構成され、引き込みガイド部材は、移動メンバーの移動方向に形成された引き込み案内溝と、引き込み案内溝の前端部に連設された係止溝を有するケース体と、引き込み案内溝に沿って移動側メンバーの移動方向にケース体に配設された案内ロッドと、案内ロッドに外嵌し、移動側メンバーの移動方向に移動可能で、引き込み案内溝に臨む係止突起を有する係止体と、案内ロッドに外挿して係止体の引き出し側に位置するバネ体から成り、係合部材は、移動側メンバーの初期の移動時に係止突起に係止して引き込み案内溝に沿ってバネ体を圧縮しながら係止体を前方に移動させ、引き込み案内溝の前端から係止溝に係止突起を移動させると共に、移動側メンバーの引き込み時にバネ体の反撥力で係止突起が係止して、係合部材と共に移動側メンバーを引き込む係止体係合面と、係止体係合面の前側と所定間隔を有し、移動体の収納時、係止突起を係止溝から引き込み案内溝に移動させる脱出案内面を有し、係止体は案内ロッドに対して、直交する方向に回動自在に設けられ、引き込み案内溝の後端部には、復帰用弾性脚と、復帰用弾性脚が弾性変形可能な変形用切り欠き部が連設され、引き込み案内溝の後端部に位置した係止突起に当接して、復帰用弾性脚の弾性に抗して係止体を回動させて、係止突起を係止体係合面に当接させる案内逃がし面が、係合部材の係止体係合面の後方に連設されているものである。
【実施例】
【００１９】
以下、実施例を添付図面に基づいて詳述する。
図１において、符号５０は、スリーメンバーのスライドレール１００に着脱自在に取付けられた自動引き込み装置を示し、自動引き込み装置５０は、固定側メンバー１に着脱自在に取付けられた引き込みガイド部材５と、引き込みガイド部材５に対応して移動側メンバー３に連結金具７を介して着脱自在に取付けられた係合部材６より構成されている。
【００２０】
スライドレール１００は、実施例では、固定側メンバー１と、固定側メンバー１に摺動自在に保持された中間メンバー２と、中間メンバー２にボールリテーナ４に回転自在に保持されたボール４４・・・を介して摺動自在に保持された移動側メンバー３より構成されている。（従来より公知の構成）
すなわち、固定側メンバー１は、基板１０と、上下折曲縁１１、１１よりチャンネル型に形成され、固定側メンバー１のほぼ半分程度の長さとなした合成樹脂製のリテーナ１２・・・に回転自在に保持され、かつ、上下折曲縁１１、１１内面と中間メンバー２の外面間に位置する複数個のボール１３・・・を介して、中間メンバー２を摺動自在に保持している。
そして、固定側メンバー１の基板１０の後端部には、中間メンバー２の収納時ストッパー１５が形成され、基板１０の前端部には前記リテーナ１２の引き出し方向への移動範囲を規制するリテーナ前ストッパー（図示せず。）が形成されている。
又、固定側メンバー１の上折曲縁１１の後端部には引き込みガイド部材５の後端部係止孔（図示せず。）と、後端部係止孔の所定寸法前方に後方が開放する嵌合係止突片１１１が形成されている。
【００２１】
中間メンバー２は、固定側メンバー１とほぼ同長で、基板２０と上下折曲縁２１、２１より固定側メンバー１と同方向の略チャンネル型に形成され、上下折曲縁２１、２１の外面に、摺動方向に渡って前記ボール１３・・・が転動する外面ボール摺動溝を有し、上下折曲縁２１、２１の内面に、摺動方向に渡って内面ボール摺動溝を有している。  そして、基板２０の後端部には、中間メンバー２の収納時に前記収納時ストッパー１５に当接する中間メンバー後端ストッパー２３が形成され、上下折曲縁２１、２１の後端部には、中間メンバー２の最大引き出し時に、前端部が前記固定側メンバー１のリテーナ前ストッパーに当接したリテーナ１２の後端に当接して、中間メンバー２の最大引き出し量を規制するリテーナ後ストッパー（図示せず。）が形成され、基板２０の前端部所定位置に、移動側メンバー３が最大伸長状態となった時、ボールリテーナ４の前端部が当接するボールリテーナ前端ストッパー（図示せず。）が形成されている。
【００２２】
移動側メンバー３は、固定側メンバー１とほぼ同長に形成され、ボールリテーナ４に保持されたボール４４・・・を介して摺動自在な大きさで、金属製の細条板の短手両端部を外向き円弧状に折り曲げて形成された、外面長手方向にボール摺動溝を有する上下折曲縁３１、３１と基板３０より断面略Ｃ字型に形成されている。
そして、基板３０の後端部には、中間メンバー２に対し、引き出し方向に摺動し、最大伸長状態で、ボールリテーナ４の後端部に当接して停止し、中間メンバー２に対し収納方向に摺動し、最小短縮状態になったとき、中間メンバー２の中間メンバー後端ストッパー２３に当接して停止する移動側メンバー後端ストッパー３３が形成されている。
【００２３】
ボールリテーナ４は、帯状金属板にて、中間メンバー２の半分程度の長さとし前記中間メンバー２と移動側メンバー３の基板２０、３０間に挿入可能な大きさで、保持基板部４０１、４０１と、基板本体４００より断面略コ字形に形成されたコ字形基板４０と、コ字形基板４０の両端部よりＬ字形に突出し、中間メンバー２と移動側メンバー３の各上下折曲縁２１、２１、３１、３１間に位置する上下突出縁４１、４１より断面略コ字形に形成され、上下突出縁４１、４１の摺動方向に複数個のボール４４・・・を回転自在に保持している。
そして、移動側メンバー３の最大伸長状態で、前記ボールリテーナ前端ストッパーに前端部が当接して停止する。
【００２４】
自動引き込み装置５０の引き込みガイド部材５は、スライドレール１００の摺動方向に細長い略半円筒形のケース体５１と、ケース体５１の内部のスライドレール１００の摺動方向に配設された鋼線材からなる案内ロッド５２と、案内ロッド５２に外挿されたばね５３と、ばね５３の後方側に位置して、案内ロッド５２に外嵌し、案内ロッド５２に沿ってスライドレール１００の摺動方向に移動自在で、かつ、案内ロッド５２を中心軸として回動自在な係止体５４より構成されている。
【００２５】
ケース体５１は、連結用嵌合きり欠き部５１１が前端部に形成され、下方から後方に突出する連結用弾性係止突起５１２が後端部に形成され細長長方形状の連結用基枠５１３と、連結基板５１３の上方に連設され、スライドレールの摺動方向に内部を半円形の細長い空洞で下方が開口する半円筒形の周壁５１５より形成されている。
そして、周壁５１５の表面部分には、後端部から中央やや前方部にかけて、下方の空洞に臨む引き込み案内溝５１６が移動側メンバー３の引き出し方向に設けられている。
【００２６】
さらに、引き込み案内溝５１６の前端部には、円弧状の係止案内面５１７が形成され、係止案内面５１７の端部から周壁５１５の周方向に連続して係止溝５１８が形成されている。
一方、引き込み案内溝５１６の後端部には、係止溝５１８と同じ側に復帰用弾性脚５１９と、復帰用弾性脚５１９が弾性変形可能な変形用切り欠き部５００が連設されている。
そして、引き込み案内溝５１６が形成された周壁５１５の前側部分の空洞は、係止体５４が係止溝５１８に係止したときに圧縮されたばね５３の圧縮時収納空間となる。
【００２７】
案内ロッド５２は鋼線材からなり、前後端部が周壁５１５の前後端面の内面側に下方から取付けられて保持され、引き込み案内溝５１６が臨む空洞に配設されている。
ばね５３は、案内ロッド５２に外挿し、部材配設用空間のほぼ前後方向全幅に渡る長さのコイルばねから構成され、案内ロッド５２と同時に取付けられる。
【００２８】
係止体５４は、案内ロッド５２に外嵌し、案内ロッド５２を回動中心として案内ロッド５２に対し直交する方向に回動自在で、移動側メンバー３の摺動方向に摺動可能な略円筒形で、ばね５３の外寸より大径の嵌合摺動部５４１と、引き込み案内溝５１６から所定寸法外方に突出する大きさの、嵌合摺動部５４の外周の一部に連設された係止突起５４２より構成されている。
【００２９】
引き込みガイド部材５の各部材は上記の如く形成され、案内ロッド５２にばね５３を外挿し、さらに、ばね５３の一方の端部側に位置して、係止体５４を案内ロッド５２に外嵌した状態で、係止体５４が引き込み案内溝５１６の後端部側に位置し、係止突起５４２が引き込み案内溝５１６から上方に突出する状態に、案内ロッド５２の前後端部を空洞の下方から周壁５１５の前後端部内面に取付けて引き込みガイド部材５を組み立てる。
【００３０】
引き込みガイド部材５は上記の如く構成され、ケース体５１の連結用嵌合きり欠き部５１１が固定側メンバー１の嵌合係止突片１１１に嵌合係止され、後端部が上折曲縁１１に押し付けられて、連結用弾性係止突起５１２が弾性変形しながら後端部係止孔（図示せず。）に係止し、固定側メンバー１に着脱自在に連結される。
【００３１】
引き込みガイド部材５に対応して移動側メンバー３に連結金具７を介して着脱自在に取付けられる係合部材６は、左右側壁６１、６１と上壁６２より下方部が開口する門型に形成され、上壁６２の後端部から前方やや中央部にかけて上下方向に貫通する横向き略Ｌ字形の係止突起案内路６０が形成されている。
【００３２】
すなわち、移動側メンバー３の引き出し時に係止突起５４２に後方側から係止し、ばね５３を圧縮しながら係止体５４（係止突起５４２）を前方に移動させると共に、バネ５３の反撥力で係止突起５４２が係止して、係合部材６と共に移動側メンバー３を引き込む係止体係合面６３と、係止体係合面６３の後方に連設され、移動側メンバー３の収納時、引き込み案内溝５１６の後端部に位置した係止突起５４２に当接して、復帰用弾性脚５１９の弾性に抗して係止体５４を回動させた後、係止突起５４２を係止体係合面６３に当接させる案内逃がし面６５を有する係止体係止突部６６が係止突起案内路６０に臨んで形成されている。
【００３３】
そして、係止体係合面６３の前側に所定間隔(係止突起５４２が通過可能な間隔)を有し、移動側メンバー３の収納時、係止突起５４２を係止溝５１８から引き込み案内溝５１６に移動させる円弧状の脱出案内面６４が係止突起案内路６０に臨んで形成されている。
【００３４】
一方、脱出案内面６４側の側壁６１と上壁６２の連続部の前後端部に、上壁６２と所定間隔を有して他方の側壁６１側に突出する逆Ｌ字形の連結用嵌合突片６１１、６１１が形成され、他方の側壁６１の後端部に、前方に突出前記連結用嵌合突片６１１と同形の前方に突出する後端連結用嵌合突片６１２が形成され、後端連結用嵌合突片６１２に対応して、後方に突出する連結用弾性係止突起６１３が設けられている。
【００３５】
連結金具７は、係合部材６が下面側に連結される係合部材連結用突片７１と、移動側メンバー３の後端部に連結される移動側メンバー連結用突片７２より断面略逆Ｌ字型に形成されている。
そして、係合部材６の連結状態で、前記連結用嵌合突片６１１、６１１が嵌合して、前後、及び、上下方向への移動が阻止される嵌合凹部７１１、７１１が、係合部材連結用突片７１の端面側前後端部に形成され、後端連結用嵌合突片６１２と連結用弾性係止突起６１３が移動側メンバー連結用突片７２の外方に突出するのを防止する連結用段部７３が、移動側連結用突片７２の上端部に形成され、移動側メンバー３との連結孔７２１、７２１が移動側連結用突片７２の下端部に形成されている。
【００３６】
すなわち、連結用嵌合突片６１１、６１１、及び、後端連結用嵌合突片６１２と上壁６２間に、係合部材６の連結用係止突起６１３側の斜め方向から、連結金具７の係合部材連結用突片７１を差し込むようにして、嵌合凹部７１１、７１１と嵌合突片６１１、６１１、及び、連結用段部７３の後端面と後端連結用嵌合突片６１２を嵌合直前状態としつつ、
連結用弾性係止突起６１３を、連結用段部７３の前端面で外方に弾性変形させた後、嵌合凹部７１１、７１１等と連結用嵌合突片６１１、６１１等を完全に嵌合させ、係合部材６は連結金具７と連結される。そして、係合部材６が連結された連結金具７は移動側メンバー３の後端部に連結ネジ等で連結される。
【００３７】
本発明の自動引き込み装置５０は、実施例では、スリーメンバーのスライドレール１００に取付けられているが、係合部材６を引き出し等の移動体に直接ネジ止め等にて着脱自在に設け、係合部材６に対応して、引き込みガイド部材５をキャビネット本体等の固定体に直接ネジ止め等にて着脱自在にとりつけるようにしても良い。
本発明は上記の如く構成され、移動側メンバー３（移動体）が固定側メンバー１（固定体）に引き込まれた状態（図８に示す状態。）から移動側メンバー３（移動体）が引き出されると、係止体５４の係止突起５４２が係合部材６の係止体係合面６３の前側に位置しているので、係止突起５４は引き込み案内溝５１６内を前方に移動する。
【００３８】
すなわち、係止体５４の嵌合摺動部５４１は、ばねを圧縮しながら案内ロッド５２に沿って前方に摺動し、やがて、係止突起５４２が係止案内面５１７に当接すると、係止突起５４２が係止案内面５１７沿って移動するので（図９に示す状態。）、係止体５４は案内ロッド５２を回動中心として係止溝５１８の方向に回動し、やがて、係止突起５４２が係止体係止突部６６から係止溝５１８内に達すると（図１０に示す状態。）、係止体係止突部６６は前方に通過し、同時に係止体５４は圧縮されたばね５３の反撥力でやや後方に押し戻され、係止突起５４２は係止溝５１８に確実に係止し（図１１に示す状態。）、ばね５３を圧縮状態で維持し、移動側メンバー３（係合部材６及び移動体）は所定位置まで前方に引き出される。
【００３９】
次に、移動側メンバー３（係合部材６及び移動体）が固定側メンバー１（固定体）に収納されていくと、係合部材６の係止突起案内路６０が、係止体５４の係止突起５４２が後端から前端に位置するように移動し、やがて、係止突起５４２に脱出案内面６４が当接すると（図１２に示す状態。）、係止突起５４２を脱出案内面６４に沿って移動させるので、係止体５４を案内ロッド５２を回動中心として引き込み案内溝５１６の方向に回動させ、係止突起５４２が係止溝５１８から引き込み案内溝５１６内に達すると（図１３に示す状態。）、圧縮されたばね５３の反撥力によって、係止突起５４２は係止体係止突部６６の係止体係合面６３に確実に係止し、係合部材６（移動側メンバー３、移動体）を後方に押しやる。（図８に示す状態。）すなわち、移動側メンバー３は自動的に固定側メンバー１に引き込まれて収納される。
【００４０】
一方、移動側メンバー３（係合部材６）が引き出された状態で、不測の事故により、係止溝５１８と係止突起５４２の係止状態がはずれ、ばね５３の反撥力で係止体５４だけが、
引き込み案内溝５１６の端部側に位置した状態（図１４に示す状態。）で移動側メンバー３（係合部材６）が収納されていくと、係止体５４の係止突起５４２に案内逃がし面が当接し、案内逃がし面によって、復帰用弾性脚５１９の弾性に抗して、復帰用弾性脚５１９を変形用切り欠き部５００側に弾性変形させながら係止体５４を案内ロッド５２を回動中心として回動させ(図１５示す状態。)、さらに、移動側メンバー３が収納され、係止体係止突部６６が係止突起５４２を通過(図１６に示す状態)すると、復帰用弾性脚の弾性力によって係止体は逆方向に回動し、係止突起５４２は係止体係合面６３の前側に位置し（図８に示す状態。）、移動側メンバー３（移動体あるいは係合部材６）が自動的に引き込まれた正常な状態となる。
【産業上の利用可能性】
【００４１】
以上詳述したように、本発明は、スライドレールに取付けて使用されるだけでなく、キャビネット本体のような固定体（スライドレールに例えると固定側メンバー）と、キャビネット本体に対し引き出し収納される引き出し、或いは、機器類のような移動体（スライドレールに例えると移動側メンバー）に直接とりつけて使用することも可能であるから、広範囲に利用可能である。
【符号の説明】
【００４２】
１              固定側メンバー
１００          スライドレール
３              移動側メンバー
５              引き込みガイド部材
５１            ケース体
５００          変形用切り欠き部
５１５          周壁
５１６          引き込み案内溝
５１７          係止案内面
５１８          係止溝
５１９          復帰用弾性脚
５２            案内ロッド
５３            ばね
５４            係止体
５４１          嵌合摺動部
５４２          係止突起
６              係合部材
６０            係止突起案内路
６３            係止体係合面
６４            脱出案内面
６５            案内逃がし面
６６            係止体係止突部
【図１】
0005484813.tif 000002
【図２】
0005484813.tif 000003
【図３】
0005484813.tif 000004
【図４】
0005484813.tif 000005
【図５】
0005484813.tif 000006
【図６】
0005484813.tif 000007
【図７】
0005484813.tif 000008
【図８】
0005484813.tif 000009
【図９】
0005484813.tif 000010
【図１０】
0005484813.tif 000011
【図１１】
0005484813.tif 000012
【図１２】
0005484813.tif 000013
【図１３】
0005484813.tif 000014
【図１４】
0005484813.tif 000015
【図１５】
0005484813.tif 000016
【図１６】
0005484813.tif 000017